(57)【要約】      （修正有）【課題】回転角検出手段及びカバー体検出手段と制御手段間の中継コードの数量を減らすことができる気泡浴槽を提供する。【解決手段】浴槽と、前記浴槽内の水を前記浴槽に設けられた吸入口から吸入し排出口から吐出する水循環手段と、前記吸入口に設けられたゴミ又は髪の毛の吸入を防ぐフィルター手段と、前記フィルター手段の前記吸入口への装着の有無を検出する装着検出手段と、前記水循環手段の駆動を検出する動作検出手段と、前記装着検出手段及び前記動作検出手段の出力に応じて前記水循環手段を制御する制御手段とを有する気泡浴槽において、前記装着検出手段及び前記動作検出手段の２つの出力を前記２つの論理積になるように１つの出力で構成した。【選択図】  図４
2004215909.tif 000002
【特許請求の範囲】
【請求項１】
浴槽と、前記浴槽内の水を前記浴槽に設けられた吸入口から吸入し排出口から吐出する水循環手段と、前記吸入口に設けられたゴミ又は髪の毛の吸入を防ぐフィルター手段と、前記フィルター手段の前記吸入口への装着の有無を検出する装着検出手段と、前記水循環手段の駆動を検出する動作検出手段と、前記装着検出手段及び前記動作検出手段の出力に応じて前記水循環手段を制御する制御手段とを有する気泡浴槽において、前記装着検出手段及び前記動作検出手段の２つの出力を前記２つの論理積になるように１つの出力で構成したことを特徴とする気泡浴槽。
【請求項２】
請求項１記載の気泡浴槽において、前記装着検出手段は接点式スイッチで構成されるとともに前記動作検出手段の駆動電源に直列に接続されていることを特徴とする気泡浴槽。
【請求項３】
請求項２記載の気泡浴槽において、前記装着検出手段への駆動電源の供給有無により、前記装着検出手段の検出有無を判別するとともに前記動作検出手段へ駆動電源を制御することを特徴とする気泡浴槽。
【請求項４】
請求項１記載の気泡浴槽において、前記装着検出手段は接点式スイッチで構成されるとともに前記動作検出手段の駆動電源に並列に接続され前記動作検出手段の出力に接続され、その出力をマイコンのＡＤ入力ポートに接続されていることを特徴とする気泡浴槽。
【請求項５】
請求項１乃至４記載の気泡浴槽において、前記装着検出手段及び前記動作検出手段は水循環手段の近傍に設けられていることを特徴とする気泡浴槽。
【発明の詳細な説明】
【０００１】
【発明の属する技術分野】
本発明は浴槽内の湯を吸入口より吸い込み、これに空気を混合して噴出口より再び浴槽内へ噴出する気泡浴槽に関する。
【０００２】
【従来の技術】
従来の気泡浴槽は、浴槽と、前記浴槽内の水を前記浴槽に設けられた吸入口から吸入し排出口から吐出する水循環手段と、前記吸入口に設けられたゴミ又は髪の毛の吸入を防ぐフィルター手段と、前記フィルター手段の前記吸入口への装着の有無を検出する装着検出手段と、前記水循環手段の駆動を検出する動作検出手段と、前記装着検出手段及び前記動作検出手段の出力に応じて前記水循環手段を制御する制御手段とを有し、図９に示すように前記装着検出手段の出力と前記動作検出手段の出力がそれぞれ独立して前記制御手段に接続されていた。
【０００３】
【特許文献１】
特開平７−１８４９７２号公報（第３−５頁、第１図）
【０００４】
【発明が解決しようとする課題】
従って、従来の気泡浴槽では、前記装着検出手段の出力と前記動作検出手段の出力ががそれぞれ独立して前記制御手段に接続されるため、それぞれ専用の接続線が必要であった。そのため接続線の数量が多くなり、また接続線が接続される前記制御手段内に収納されたプリント基板のサイズも大きくなり、コストアップの要因になっていた。
また、図１０に示すように装着検出手段と動作検出手段の二種類の検出手段の出力状態に応じて、気泡浴槽の動作を停止、運転と制御していた。しかし、気泡浴槽の製品仕様上、装着検出手段が非検出状態では、装着検出手段の出力にかかわらず気泡浴槽の動作は停止させればよいことが図１０より理解できる。要するに、二種類の検出手段の出力に着目して、装着検出手段に出力に優先権を持たせて、動作検出手段の出力を従属にしても必要な製品状態を検出できることがわかる。そこで前記動作検出手段の出力のみを制御部に入力させ、装着検出手段の出力で前記動作検出手段の電源や出力を制御したりすれば、前記動作検出手段の出力と前記制御手段を接続する接続線のみにすることができる。
【０００５】
本発明は、上記課題を解決する為になされたもので、本発明の目的は、前記装着検出手段の出力及び記動作検出手段の出力と前記制御手段間の接続線の本数を低減することができる気泡浴槽を提供することにある。
【０００６】
【課題を解決する為の手段】
上記目的を達成する為に請求項１では、浴槽と、前記浴槽内の水を前記浴槽に設けられた吸入口から吸入し排出口から吐出する水循環手段と、前記吸入口に設けられたゴミ又は髪の毛の吸入を防ぐフィルター手段と、前記フィルター手段の前記吸入口への装着の有無を検出する装着検出手段と、前記水循環手段の駆動を検出する動作検出手段と、前記装着検出手段及び前記動作検出手段の出力に応じて前記水循環手段を制御する制御手段とを有する気泡浴槽において、前記装着検出手段及び前記動作検出手段の２つの出力を前記２つの論理積になるように１つの出力で構成したことを特徴とする。
その結果、気泡浴槽の水循環手段（ポンプ部）の装着検出手段及び動作検出手段と制御手段間の接続線の数量を削減することができるので、浴槽と制御部を離れた現場でも線材の引き回しが容易になる。
【０００７】
上記目的を達成する為に請求項２では、請求項１記載の気泡浴槽において、前記装着検出手段は接点式スイッチで構成されるとともに前記動作検出手段の駆動電源に直列に接続されていることを特徴とする。
その結果、装着検出手段を機械式の接点式スイッチで構成するのでオン、オフするのでオフ時に消費電流を削除することができ、簡便な回路構成で論理積になるように構成できる。
【０００８】
上記目的を達成する為に請求項３では、請求項２記載の気泡浴槽において、前記装着検出手段への駆動電源の供給有無により、前記装着検出手段の検出有無を判別するとともに前記動作検出手段へ駆動電源を制御することを特徴とする。
その結果、装着検出手段の出力の有無と制御を制御部側の検出・駆動回路で構成できるので、装着検出手段の制御部の配線を省くことができ、ノイズ耐性も向上する。
【０００９】
上記目的を達成する為に請求項４では、請求項１記載の気泡浴槽において、前記装着検出手段は接点式スイッチで構成されるとともに前記動作検出手段の駆動電源に並列に接続され前記動作検出手段の出力に接続され、その出力をマイコンのＡＤ入力ポートに接続されていることを特徴とする。
その結果、マイコンのＡＤポートでは、基準の電圧と変化した電圧を自由に設定できるので多価値の判定が可能になる。よって装着検出手段及び動作検出手段のそれぞれの状態が個別に判定できる。
【００１０】
上記目的を達成する為に請求項５では、請求項１乃至４記載の気泡浴槽において、前記装着検出手段及び前記動作検出手段は水循環手段の近傍に設けられていることを特徴とする。
この結果、気泡浴槽の水循環手段（ポンプ部）と装着検出手段及び動作検出手段を最短で配置できるので、コンパクトにすることができる。またこれらを制御する制御手段間の接続線の数量を削減することができる。
【００１１】
【発明の実施の形態】
本発明の内容をより理解しやすくする為に、以下に実施例を用いて解説する。
【００１２】
【実施例】
図１は、本発明の一実施例に係る気泡浴槽１の全体を表した構成図である。本発明の気泡浴槽１は浴槽２の側面に取付けられ吸込吐出を一体的に備えた水循環手段３と、水循環手段３を駆動するための電源部と駆動制御部を浴室外に設置固定した制御手段４と、水循環手段３と制御手段４を電気的に接続する中継コード５と、水循環手段３の運転を操作する操作部６と、操作部６からエアーを取込み水循環手段３に供給するエアー配管７と、制御手段４に電源を供給するための電源コード８とで構成される。
【００１３】
図２は、本発明の一実施例に係る水循環手段３付近の部分断面図である。水循環手段３は浴湯を吸入、噴出させる動力源となるモータ９と、浴湯を吸入する浴湯吸入口１０と、浴湯吸入口を覆うフィルター手段１１と、フィルター手段１１を勘合固定するためのフィルター手段固定部１２を備える。なお、フィルター手段１１はフィルター手段固定部１２に着脱自在に勘合固定できる。また、水循環手段３はフィルター手段の装着検出手段として磁気を検出する磁気センサ１３を備えており、フィルター手段１１は、フィルター手段固定部１２に取り付けた場合、磁気センサ１３に近接する位置に磁気を発するマグネット１４を備えている。従って、磁気センサ１３がマグネット１４を検出している場合は、フィルター手段１１がフィルター手段固定部１２に取付けられていると検出できる。また、磁気センサ１３がマグネット１４を検出していない場合は、フィルター手段１１がフィルター手段固定部１２に取付けられていないと検出できる。
【００１４】
図３は、モータ９の構造図である。モータ９は３相ＤＣブラシレスモータであり、Ｕ、Ｖ、Ｗの３相の巻線１５と、回転子１６と、水循環手段の駆動を検出する動作検出手段として回転子１６の位置を検出するセンサ１７を備えている。
【００１５】
図４は、本発明の一実施例に係る制御手段４と水循環手段３との電気配線図である。各巻線１５へは制御手段４に配置された駆動制御部１８から正弦波駆動電圧が中継コード４を介して印加される。正弦波駆動を行う場合、モータの巻線１５にて発生する逆起電圧の位相と巻線１５に流れる電流の位相が合うように巻線１５に電圧を印加するのがモータ９を最も効率良く回転させる方法であり、回転子１６の位置を検出するセンサ１７の位置信号から駆動制御部１８は回転子１６の位置を正確に認識し効率の良い正弦波駆動を行うことができる。
【００１６】
また、センサ１７用の電源は磁気センサ１３を介して供給することにより、モータ９と駆動制御部１８を接続する中継コード４の構成がモータ９の３本の巻線に駆動電圧を印加する３本の線とセンサ１７用の電源、ＧＮＤ，出力の３本の線の合計６本で最小の構成となる。このような構成にできる理由は、次の式（１）を満足する磁気センサ１３とセンサ１７を使用しているためである。
磁気センサに流せる最大電流値  ＞  センサの最大消費電流…式（１）
また、本発明の気泡浴槽は、フィルター手段１１がフィルター手段固定部１２に取付けられているときのみモータ９を動作させるという仕様にしているためである。
【００１７】
図５は、本発明の一実施例に係る回路図である。
まず、フィルター手段１１の検出回路の動作について説明する。ここでは磁気センサ１３に磁気を検出すると接点がショート、磁気を検出しないと接点がオープンとなるリードスイッチ１９を用いる。また、回転子１６の位置検出を行うセンサ１７に磁気を検出して出力電圧を変化させるホールＩＣ２０を用いる。
【００１８】
リードスイッチ１９がショート状態の場合、１２Ｖ電源３７から抵抗２１、また抵抗２２及び抵抗２３を介してホールＩＣ２０に電流が流れる。抵抗２３に電流が流れることによりトランジスタ２４のベース電圧が下がり、ベース電流が流れ、トランジスタ２４がオンする。トランジスタ２４がオンすると抵抗２５から抵抗２６へ、また抵抗２５から抵抗２７及び抵抗２８へ電流が流れる。抵抗２８へ電流が流れるとトランジスタ２９のベース電圧が上がり、ベース電流が流れ、トランジスタ２９がオンする。トランジスタ２９がオンするとトランジスタ２９のコレクタがＧＮＤに接続されたことと同じになるためコレクタ電圧がＧＮＤレベルとなり、抵抗３１を介してマイコン３２の入力ポート３３にＧＮＤレベルの電圧が入力される。
【００１９】
一方、リードスイッチ１９がオープン状態の場合、１２Ｖ電源３７から抵抗２１、また抵抗２２及び抵抗２３に電流が流れない。従って、トランジスタ２４のベース電圧が下がらず、ベース電流が流れないため、トランジスタ２４がオフする。トランジスタ２４がオフすると抵抗２５から抵抗２６へ、また抵抗２５から抵抗２７及び抵抗２８へ電流が流れない。よって、トランジスタ２９のベース電圧が上がらず、ベース電流が流れないため、トランジスタ２９がオフする。トランジスタ２９がオフするとトランジスタ２９のコレクタは抵抗３０を介して５Ｖ電源３８と接続されているためコレクタ電圧は５Ｖレベルとなり、抵抗３１を介してマイコン３２の入力ポート３３に５Ｖレベルの電圧が入力される。
【００２０】
次に回転数検出回路の動作について説明する。ホールＩＣ２０はリードスイッチ１９がショート状態の場合のみ電源が供給されるので動作する。ホールＩＣ２０は磁石の極性を検出する部品で、Ｎ極を検出した場合はホールＩＣ２０の出力端子の電圧は抵抗３４を介して５Ｖレベルとなる。従って、抵抗３５を介してマイコン３２の入力ポート３６に５Ｖレベルの電圧が入力される。
【００２１】
一方、Ｓ極を検出した場合はホールＩＣ２０の出力端子の電圧はＧＮＤレベルとなる。従って、抵抗３５を介してマイコン３２の入力ポート３６にＧＮＤレベルの電圧が入力される。なお、リードスイッチ１９をホールＩＣ２０と１２Ｖ電源３７間の配線上に入れているが、ホールＩＣ２０とＧＮＤ間の配線上に入れても良い。
【００２２】
図６は、本発明の一実施例に係るタイムチャートである。フィルター手段１１がフィルター手段固定部１２に取付けられていない場合はマイコン３２の入力ポート３３の入力電圧はＧＮＤレベルとなり、フィルター手段１１がフィルター手段固定部１２に取付けられている場合はマイコン３２の入力ポート３３の入力電圧は５Ｖレベルとなる。
【００２３】
また、モータ９が回転中の場合はマイコン３２の入力ポート３６の入力電圧はＧＮＤレベル、５Ｖレベル、ＧＮＤレベル、…と変化し、モータ９が停止中の場合はマイコン３２の入力ポート３６の入力電圧はＧＮＤレベルのまま一定である。なお、ここではモータ９が停止中の場合はマイコン３２の入力ポート３６の入力電圧はＧＮＤレベルのまま一定であるとしたが、回転子１６の位置によりマイコン３２の入力ポート３６の入力電圧は５Ｖレベルのまま一定の場合も有り得る。
【００２４】
図７は、本発明の別の実施例に係る回路図である。
まず、フィルター手段１１の検出回路の動作について説明する。ここでは抵抗３９を１ｋΩ、抵抗４０を４ｋΩ、抵抗４０及び抵抗４１を１０ｋΩとする。
【００２５】
リードスイッチ１９がショートかつホールＩＣ２０がＳ極を検出している場合、抵抗３９及び抵抗４２の合成抵抗と、抵抗４０及び抵抗４１の合成抵抗とで５Ｖ電源３８を分圧した電圧、つまり３．８Ｖがマイコン３２のＡＤ入力ポート４４に入力される。また、リードスイッチ１９がショートかつホールＩＣ２０がＮ極を検出している場合、抵抗３９及び抵抗４２の合成抵抗と、抵抗４１とで５Ｖ電源３８を分圧した電圧、つまり４．６Ｖがマイコン３２のＡＤ入力ポート４４に入力される。
【００２６】
リードスイッチ１９がオープンかつホールＩＣ２０がＳ極を検出している場合、抵抗４２と、抵抗４０及び抵抗４１の合成抵抗とで５Ｖ電源３８を分圧した電圧、つまり１．１Ｖがマイコン３２のＡＤ入力ポート４４に入力される。また、リードスイッチ１９がオープンかつホールＩＣ２０がＮ極を検出している場合、抵抗４２と、抵抗４１とで５Ｖ電源３８を分圧した電圧、つまり２．５Ｖがマイコン３２のＡＤ入力ポート４４に入力される。
【００２７】
図８は、本発明の一実施例に係るタイムチャートである。フィルター手段１１がフィルター手段固定部１２に取付けられている場合において、モータ９が回転中のときは、マイコン３２のＡＤ入力ポート４３の入力電圧は３．８Ｖと４．６Ｖが交互に入力される。また、モータ９が停止中のときは、マイコン３２のＡＤ入力ポート４３の入力電圧は３．８Ｖが入力され続ける。なお、ここではモータ停止中のマイコン３２のＡＤ入力ポート４３の入力電圧を３．８Ｖとしたが、これはホールＩＣ２０がＳ極を検出している場合で、Ｎ極を検出している場合は４．６Ｖとなる。
【００２８】
また、フィルター手段１１がフィルター手段固定部１２に取付けられていない場合、本発明の気泡浴槽はモータ９を動作させないという仕様にしているため、モータ９が停止中のときのみについて説明すると、このときマイコン３２のＡＤ入力ポート４３の入力電圧は１．１Ｖが入力され続ける。なお、ここではモータ停止中のマイコン３２のＡＤ入力ポート４３の入力電圧を１．１Ｖとしたが、これはホールＩＣ２０がＳ極を検出している場合で、Ｎ極を検出している場合は２．５Ｖとなる。
【図面の簡単な説明】
【図１】本発明の気泡浴槽の全体を表した構成図。
【図２】本発明の水循環手段付近の断面図。
【図３】モータの構造を表した構造図。
【図４】本発明の制御手段４と水循環手段３との電気配線図。
【図５】本発明の回路図。
【図６】本発明のタイムチャート。
【図７】本発明の別の回路図。
【図８】本発明の別のタイムチャート。
【図９】従来の制御手段４と水循環手段３との電気配線図。
【図１０】従来の気泡浴槽の動作状態表。
【符号の説明】
１…気泡浴槽、２…浴槽、３…水循環手段、４…制御手段、
５…中継コード、６…操作部、７…エアー配管、８…電源ケーブル、
９…モータ、１０…浴湯吸入口、１１…フィルター手段、
１２…フィルター手段固定部、１３…磁気センサ、１４…マグネット、
１５…巻線、１６…回転子、１７…センサ、１８…駆動制御部、
１９…リードスイッチ、２０…ホールＩＣ、２１…抵抗、２２…抵抗、
２３…抵抗、２４…抵抗、２５…抵抗、２６…抵抗、２７…抵抗、
２８…抵抗、２９…抵抗、３０…抵抗、３１…抵抗、３２…マイコン、
３３…入力ポート、３４…抵抗、３５…抵抗、３６…入力ポート
３７…１２Ｖ電源、３８…５Ｖ電源、３９…抵抗、４０…抵抗、
４１…抵抗、４２…抵抗、４３…抵抗、４４…ＡＤ入力ポート
【図１】
2004215909.tif 000003
【図２】
2004215909.tif 000004
【図３】
2004215909.tif 000005
【図４】
2004215909.tif 000006
【図５】
2004215909.tif 000007
【図６】
2004215909.tif 000008
【図７】
2004215909.tif 000009
【図８】
2004215909.tif 000010
【図９】
2004215909.tif 000011
【図１０】
2004215909.tif 000012